(57)【特許請求の範囲】
【請求項１】
光磁気ディスクが収納されるカートリッジ本体と、
上記光磁気ディスクの中心線に沿って移動する磁界発生手段を一端側に保持し、他端側が上記カートリッジ本体の挿入方向に延びている弾性保持手段を上記カートリッジ本体内部に挿入するための開口部と、
上記開口部を覆い、上記カートリッジ本体の挿入方向に対して反対方向に移動することにより上記光磁気ディスクの中心線を外方に臨ませる際、上記カートリッジの上面から上記反対方向へのはみ出しが阻止されるシャッター手段とを備え、
上記磁界発生手段が移動する方向と平行な上記開口部の中心線が、上記磁界発生手段が移動する方向と平行な上記光磁気ディスクの中心線と比較して、上記カートリッジ本体の挿入方向にずれるように上記開口部が上記カートリッジ本体上面に形成される
ことを特徴とする光磁気ディスクカートリッジ。
【請求項２】
カートリッジ本体内部に収納された光磁気ディスクの中心線に沿って移動する磁界発生手段と、
一端側に上記磁界発生手段を保持し、他端側が上記カートリッジ本体の挿入方向に延びている弾性保持手段とを備え、
上記カートリッジ本体上面に形成された開口部の、上記磁界発生手段が移動する方向と平行な中心線が、上記磁界発生手段が移動する方向と平行な上記光磁気ディスクの中心線と比較して上記カートリッジ本体の挿入方向にずれており、上記開口部を覆うシャッター手段の上面内にて当該カートリッジ本体の挿入方向に対して反対方向に移動させて上記光磁気ディスクの中心線を外方に臨ませた後、上記磁界発生手段と上記弾性保持手段とが上記開口部から上記カートリッジ本体内部に挿入される
ことを特徴とする光磁気ディスク装置。
【請求項３】
上記弾性保持手段は、上記磁界発生手段を上記光磁気ディスクの中心線に沿って移動させるとき、上記光磁気ディスクの盤面と平行である
ことを特徴とする請求項２記載の光磁気ディスク装置。
【発明の詳細な説明】
【０００１】
【産業上の利用分野】
本発明は、光磁気ディスクの面振れの影響を低減することが可能な光磁気ディスクカートリッジ及び光磁気ディスク装置に関する。
【０００２】
【従来の技術】
光磁気ディスクのダイレクトオーバライト方式には、光変調方式と磁界変調方式とがある。光変調方式は、情報の記録時に一定の補助磁界を加えた状態で、記録信号に応じてオン又はオフにされたレーザ光を磁性膜上に当てて、磁性膜の磁界の向きを変えるものである。これに対して磁界変調方式は、連続光又はパルス光を当てた状態で記録信号に対応させて補助磁界の向きを反転することにより、磁性膜の磁界の向きを変えるものである。
【０００３】
光変調方式は、極めて高速で変調することが可能であり、高転送レートの光磁気ディスクシステムを構築するときに有効である。一方、磁界変調方式は、ディスクのスキューに影響されずに安定して正確なピットを形成することができ、システムの安定化、高密度化に適している。
【０００４】
ところで、従来の磁界変調方式の光磁気ディスク装置には、図５〜図１４に示すように各種のタイプがある。図５及び図６は、シャッター横開き型の光磁気ディスクカートリッジ５０を用いた光磁気ディスク装置５１の要部を示す。
【０００５】
光磁気ディスクカートリッジ５０のカートリッジ本体５２には、光磁気ディスク５３が回転自在に収納されている。また、カートリッジ本体５２の上面には、磁界変調ヘッド５５を挿入するための開口部５７Ａが設けられている。下面には、光学ピックアップ５６から放射されたレーザ光を通すための開口部５７Ｂが設けられている。開口部５７Ａ，５７Ｂはシャッター５４Ａ，５４Ｂによって開閉される。このシャッター５４Ａ，５４Ｂは、光磁気ディスクカートリッジ５０の挿入方向に対して直角に移動するようになっている。
【０００６】
磁界変調ヘッド５５を弾性的に保持する弾性保持手段としてのサスペンション５８は、光磁気ディスク５３の盤面と平行であり、シャッター５４Ａの移動方向に対して直角に、言い換えれば、開口部５７Ａの長手方向に沿って配置されている。サスペンション５８及び光学ピックアップ５６は支持部５９に取り付けられ、これがサスペンション５８の長手方向に沿って移動することにより、磁界変調ヘッド５５と光学ピックアップ５６が、光磁気ディスク５３の径方向に移動するようになっている。
【０００７】
このタイプの光磁気ディスク装置５１においては、サスペンション５８が開口部５７Ａの長手方向に沿って配置されているので、サスペンション５８の長さを十分長くすることができる。これによってサスペンション５８のバネ定数を十分小さくできるので、磁界変調ヘッド５５が光磁気ディスク５３の面振れに対して即座に追従するようになる。
【０００８】
しかし、このタイプの光磁気ディスク装置５１は、外周側のトラックをアクセスするとき磁界変調ヘッド５５及び光学ピックアップ５６を開口部５７Ａの長手方向に沿って移動させる、すなわちカートリッジ本体５２から離れる方向に移動させるため、磁界変調ヘッド５５及び光学ピックアップ５６を光磁気ディスク５３の最外周トラックにアクセスする場合には、支持部５９が光磁気ディスクカートリッジ５０から奥行き方向に相当離れた位置まで移動することになる。したがって、光磁気ディスク装置５１の奥行きが長くなってしまうという問題がある。
【０００９】
そこで、奥行きを短くするため図７及び図８に示すように、シャッター縦開き型の光磁気ディスクカートリッジ６０を用いた光磁気ディスク装置６１がある。光磁気ディスクカートリッジ６０のカートリッジ本体６２には、光磁気ディスク６３が回転自在に収納されている。カートリッジ本体６２の上下には、開口部６７Ａ，６７Ｂが光磁気ディスクカートリッジ６０の挿入方向に対して直角に設けられている。開口部６７Ａ，６７Ｂを開閉するシャッター６４Ａ，６４Ｂは挿入方向に沿って移動する。磁界変調ヘッド６５及び光学ピックアップ６６は、シャッター６４Ａ，６４Ｂの移動方向に対して直角方向に移動する。磁界変調ヘッド６５は、サスペンション６８を介して支持部６９に取り付けられている。また、光学ピックアップ６６も支持部６９に取り付けられている。
【００１０】
このタイプの光磁気ディスク装置６１は、磁界変調ヘッド６５及び光学ピックアップ６６を、サスペンション６８の長手方向に対して直角方向に移動させるので装置の奥行きを短くすることができ、例えばミニディスクなどに適用されている。
【００１１】
また、図９及び図１０に示すように、開口部７７Ａ，７７Ｂの幅を大きくしたシャッター縦開き型の光磁気ディスクカートリッジ７０を用いる光磁気ディスク装置７１もある。この光磁気ディスクカートリッジ７０も、カートリッジ本体７２内に光磁気ディスク７３が回転自在に収納され、上下のシャッター７４Ａ，７４Ｂが移動して開口部７７Ａ，７７Ｂを開閉するようになっている。磁界変調ヘッド７５及び光学ピックアップ７６は、図７と同様にサスペンション７８の長手方向に対して直角方向に移動するので、装置の奥行きが短くなる。また、ここでは、開口部７７Ａ，７７Ｂの幅が大きいので、サスペンション７８を図７の光磁気ディスク装置６１のサスペンション６８より長くすることができ、光磁気ディスク７３に対する磁界変調ヘッド７５の追従性を良くすることが可能になる。
【００１２】
図１１及び図１２は、図７に示した光磁気ディスク装置６１のサスペンション６８に代えて、適宜な角度で傾斜したサスペンション８８を用いた光磁気ディスク装置８１を示す。この光磁気ディスク装置８１は、サスペンション８８を開口部６７Ａ内からカートリッジ本体６２の上側まで延ばすことができるので、サスペンション８８を長くでき、開口部６７Ａの幅が狭いにも拘らず光磁気ディスク６３に対する磁界変調ヘッド６５の追従性を良くすることができる。
【００１３】
図１３及び図１４は、シャッター斜め開き型の光磁気ディスクカートリッジ９０を用いた光磁気ディスク装置９１を示す。この光磁気ディスク装置９１は、補助磁界発生手段及び光学ピックアップ９６をカートリッジ本体９２の対角線に沿って配置することにより、カートリッジ本体９２から外側にはみ出す部分を少なくして装置をコンパクトにしたものである。カートリッジ本体９２には、光磁気ディスク９３が回転自在に収納されている。シャッター９４Ａ，９４Ｂは、挿入方向に対して斜めに移動し、カートリッジ本体９２に斜めに開けられた開口部９７Ａ，９７Ｂを開閉するようになっている。磁界変調ヘッド９５を保持するサスペンション９８は、開口部９７Ａの長手方向に対して直角方向に延びており、また開口部の９７Ａの大きさは特に大きくはないので、サスペンション９８は図７又は図１１と同様な形状になっている。なお、サスペンション９８及び光学ピックアップ９６は支持部９９に取り付けられている。
【００１４】
【発明が解決しようとする課題】
ところで、上述した従来のシャッター縦開き型又はシャッター斜め開き型の光磁気ディスク装置６１，７１，８１，９１は、シャッター横開き型の光磁気ディスク装置５１に比べて奥行き方向の長さをコンパクトにすることができるものの、次のような問題があった。
【００１５】
すなわち、図７の光磁気ディスク装置６１では、サスペンション６８の長手方向が開口部６７Ａの長手方向に対して直交しており、しかもサスペンション６８が水平でサスペンション６８全体が開口部６７内に挿入されるため、サスペンション６８の長さが非常に短くなる。そのため、磁界変調ヘッド６５の光磁気ディスク６３に対する追従性を良くしようとすると、サスペンション６８を薄くしてバネ定数を小さくしなければならず、サスペンション６８の強度が低くなるという問題があった。
【００１６】
これに対して、図９に示した光磁気ディスク７１は、開口部７７Ａの幅が広くなっているので、その分サスペンション７８を長くすることができ、サスペンション７８をそれ程薄くしなくても磁界変調ヘッド７５の光磁気ディスク７３に対する追従性を良くすることが可能になる。しかし、この場合には、シャッター７４Ａも開口部７７Ａを閉じることができる程度に大きくしなければならず、これを開いたときにはカートリッジ本体７２より手前側にはみ出してしまうことになる。そのため、ローディング機構が複雑になり、更に装置の手前側の長さを長くしなければならないから装置全体が大きくなってしまうという問題があった。
【００１７】
図１１に示した光磁気ディスク装置８１においては、開口部６７Ａの幅が狭いにも拘らずサスペンション８８を長くすることができるものの、サスペンション８８が傾斜しているので次に説明するように磁界変調ヘッド６５が光磁気ディスク６３の面振れの影響を受け易くなるという問題があった。いま、図１５に示すようにサスペンション８８が光磁気ディスク６３の盤面に対して、角度θで傾いているものとすると、光磁気ディスク６３が上下方向にｄだけ面振れした場合には、ヘッドコア１００がＸｔ＝（ｄ・ｔａｎθ）だけ横ずれを起こすことになる。例えば、ｄ＝８００μｍ、θ＝１５°とすると、横ずれ量Ｘｔ＝８００×ｔａｎ１５°≒２１０μｍと相当大きな値となる。したがって、そのままではヘッドコア１００がトラック上に照射されたレーザ光の照射位置に正確に追従することが困難になるので、ヘッドコア１００の長さを十分に長くして広範囲のエリアをカバーする必要があった。
【００１８】
しかしながら、ヘッドコア１００を長くするとヘッドコア１００の単位面積当りの起磁力が弱くなり、磁界強度が下がるため、駆動電流を上げなければならなくなる。また、ヘッドコア１００のインダクタンスＬが増大するので、高い周波数でのインピーダンスＺ＝Ｒ＋ｊｗＬが増大し、消費電力及び発熱量が増大するという問題が発生する。さらに、図１６に示すように駆動電流をｄｉとし、駆動電流の立ち上がり時間をｄｔとすると、ヘッドコア１００の駆動電圧ＶはＶ＝（−Ｌ）×ｄｉ／ｄｔとなり、Ｖ＝一定の場合はｄｉ／ｄｔ∝１／Ｌとなる。つまり、インダクタンスＬの増大に伴い、駆動電流ｉの立ち上がり速度ｄｉ／ｄｔが下がることになり、これが光磁気ディスク６３の線密度、すなわちトラック方向のピットの密度を高める際の障害になっていた。
【００１９】
図１３に示した光磁気ディスク装置９１は、光学ピックアップ９６を光磁気ディスクカートリッジ９０の対角線に沿って配置しているので、装置をコンパクトにすることができるものの、サスペンション９８を水平にした場合は、図７に示した光磁気ディスク装置６１と同様にサスペンション９８が短くなるという問題が生じる。また、サスペンション９８を傾けた場合は、図１１に示した光磁気ディスク装置８１と同様に光磁気ディスク９３の面振れの影響を受け易くなるという問題が発生する。
【００２０】
そこで、本発明は上述したような課題を解決したものであって、シャッター縦開き型又はシャッター斜め開き型のカートリッジを用いた場合でも、サスペンションの長さを長くすることができると共に、光磁気ディスクの面振れの影響を少なくすることができる光磁気ディスクカートリッジ及び光磁気ディスク装置を提案するものである。
【００２１】
【課題を解決するための手段】
上述の課題を解決するため、請求項１の発明においては、光磁気ディスクが収納されるカートリッジ本体と、光磁気ディスクの中心線に沿って移動する磁界発生手段を一端側に保持し、他端側がカートリッジ本体の挿入方向に延びている弾性保持手段をカートリッジ本体内部に挿入するための開口部と、開口部を覆い、カートリッジ本体の挿入方向に対して反対方向に移動することにより光磁気ディスクの中心線を外方に臨ませる際、カートリッジの上面から反対方向へのはみ出しが阻止されるシャッター手段とを備え、磁界発生手段が移動する方向と平行な開口部の中心線が、磁界発生手段が移動する方向と平行な光磁気ディスクの中心線と比較して、カートリッジ本体の挿入方向にずれるように開口部が上記カートリッジ本体上面に形成されることを特徴とするものである。
【００２２】
また、請求項２の発明においては、カートリッジ本体内部に収納された光磁気ディスクの中心線に沿って移動する磁界発生手段と、一端側に磁界発生手段を保持し、他端側が上記カートリッジ本体の挿入方向に延びている弾性保持手段とを備え、カートリッジ本体上面に形成された開口部の、磁界発生手段が移動する方向と平行な中心線が、磁界発生手段が移動する方向と平行な光磁気ディスクの中心線と比較してカートリッジ本体の挿入方向にずれており、開口部を覆うシャッター手段の上面内にて当該カートリッジ本体の挿入方向に対して反対方向に移動させて光磁気ディスクの中心線を外方に臨ませた後、磁界発生手段と弾性保持手段とが開口部からカートリッジ本体内部に挿入されることを特徴とするものである。
【００２３】
【作用】
図１及び図２に示すように、シャッター縦開き型の場合は、光磁気ディスクカートリッジ１０のカートリッジ本体１２に設けられた開口部１７Ａの中心線１７Ｃが、これと平行な光磁気ディスク１３の中心線１３Ａに対して（（Ｗ／２−ａ／２）−α）だけ弾性支持手段であるサスペンション１８側にずれている。したがって、水平なサスペンション１８の長さを従来より長くすることができ、光磁気ディスク１３の面振れに対する磁界変調ヘッド１５の追従性が向上する。また、サスペンション１８が水平で長さが長いので光磁気ディスク１３の面振れの影響を受けにくくなる。
【００２４】
図３及び図４に示すように、シャッター斜め開き型の場合も、上述と同様に開口部２７Ａがサスペンション２８側にずれているので、サスペンション２８の長さを従来より長くでき、磁界変調ヘッド２５の追従性が向上すると共に、光磁気ディスク２３の面振れの影響を受けにくくなる。
【００２５】
【実施例】
続いて、本発明に係る光磁気ディスクカートリッジ及び光磁気ディスク装置の実施例について、図面を参照して詳細に説明する。
【００２６】
図１は、本発明によるシャッター縦開き型の光磁気ディスクカートリッジ１０及び光磁気ディスク装置１１を示す平面図である。光磁気ディスクカートリッジ１０のカートリッジ本体１２内には、光磁気ディスク１３が回転自在に収納されている。カートリッジ本体１２の上面には、補助磁界発生手段である磁界変調ヘッド１５を挿入するため、長方形の開口部１７Ａが設けられている。また、図２に示すようにカートリッジ本体１２の下面にも、光学ピックアップ１６から放射されたレーザ光を光磁気ディスク１３に照射するため、長方形の開口部１７Ｂが設けられている。上面の開口部１７Ａは、後述するようにその幅方向の中心線１７Ｃが、これと平行な光磁気ディスク１３の中心線１３Ａからサスペンション１８側に所定の距離だけずれている。一方、下面の開口部１７Ｂの中心線（図示せず）は、光磁気ディスク１３の中心線１３Ａと一致している。
【００２７】
光磁気ディスク装置１１の磁界変調ヘッド１５の中心は、光磁気ディスク１３の中心線１３Ａ上に配置されており、これが適宜な弾性を有する弾性保持手段としてのサスペンション１８を介して支持部１９に取り付けられている。サスペンション１８は光磁気ディスク１３と平行で、記録時には開口部１７Ａ内に挿入される。支持部１９には、光学ピックアップ１６も取り付けられている。そして、記録再生時には支持部１９が光磁気ディスク１３の中心線１３Ａに沿って移動し、これによって磁界変調ヘッド１５と光学ピックアップ１６が光磁気ディスク１３の径方向に移動する。上下の開口部１７Ａ，１７Ｂは、光磁気ディスクカートリッジ１０の挿入方向と同一方向に移動するシャッター１４Ａ，１４Ｂで開閉される。シャッター１４Ａ，１４Ｂは一体成形されている。
【００２８】
さて、カートリッジ本体１２の上面の開口部１７Ａは、磁界変調ヘッド１５を保持するサスペンション１８の長さを長くするために、サスペンション１８側にずらして配置されている。本例では、開口部１７Ａの幅をＷ、磁界変調ヘッド１５の長さをａとしたとき、開口部１７Ａの幅方向の中心線１７Ｃが、これと平行な光磁気ディスク１３の中心線１３Ａに対してＹ＝（（Ｗ／２−ａ／２）−α）だけずれている。ずれ量Ｙの限界値、すなわち、磁界変調ヘッド１５が開口部１７Ａに当接するときのずれ量Ｙは、Ｙ＝（Ｗ／２−ａ／２）であり、本例では磁界変調ヘッド１５が開口部１７Ａに当接しないように余裕αを設けたものである。
【００２９】
このように、開口部１７Ａをサスペンション１８の長手方向にずらしたことによってサスペンション１８の長さを、従来の光磁気ディスク装置６１（図７）に比べて長くすることが可能になる。本例では、サスペンション１８の長さＬ１を最大でＬ１＝Ｗ−（ａ／２＋α）とすることができるのに対し、従来例では、サスペンション６８の長さＬ２を最大でもＬ２＝Ｗ／２−ａ／２にしかできない。すなわち、本例のサスペンション１８は従来のサスペンション６８のＮ＝Ｌ１／Ｌ２＝（Ｗ−（ａ／２＋α））／（Ｗ／２−ａ／２）倍の長さとすることができる。
【００３０】
したがって、磁界変調ヘッド１５のヘッドコア（図示せず）がレーザ光の照射位置を正確に追従することが可能な光磁気ディスク１３の面振れ量も、従来の略Ｎ倍となる。いま、光磁気ディスク１３の外径Ｄ＝１２０ｍｍ、開口部１７Ａの幅Ｗ＝３０ｍｍ、磁界変調ヘッド１５の長さａ＝４ｍｍ、α＝ａ／２＝２ｍｍとすると、この場合にはＮ＝（３０−（２＋２））／（１５−２）＝２となる。つまり、本実施例の磁界変調ヘッド１５のヘッドコア（図示せず）が、レーザ光の照射位置を正確に追従することが可能な光磁気ディスク１３の面振れ量は、従来の約２倍となる。
【００３１】
このように、追従可能な面振れ量が増えてもヘッドコアの面積は増やす必要がないので、消費電力や発熱量の増加がなく、また駆動電流の立ち上がり速度が低下しないので、光磁気ディスク１０の線密度を高くすることが可能になる。また、サスペンション１８は従来に比べて長さが長くなっているので、従来と同一のバネ定数とする場合は従来に比べて肉厚を厚くすることができ、強度を上げることが可能になる。
【００３２】
図３は、本発明によるシャッター斜め開き型の光磁気ディスクカートリッジ２０及び光磁気ディスク装置２１の平面図である。この光磁気ディスクカートリッジ２０は、従来のシャッター斜め開き型の光磁気ディスクカートリッジ９０（図１３）と同様に、カートリッジ本体２２内に光磁気ディスク２３が回転自在に収納され、図４に示すように上下の開口部２７Ａ，２７Ｂがシャッター２４Ａ，２４Ｂによって開閉される。開口部２７Ａ，２７Ｂは、光磁気ディスクカートリッジ２０の挿入方向に対して、所定の角度で傾いている。補助磁界発生手段である磁界変調ヘッド２５の中心は、光磁気ディスク２３の中心線２３Ａ上に配置され、弾性保持手段であるサスペンション２８は中心線２３Ａと直角方向で装置の奥行き側に延びている。サスペンション２８は光磁気ディスク２３と平行であり、記録時には開口部２７Ａ内に挿入される。サスペンション２８は支持部２９に取り付けられている。支持部２９には、光学ピックアップ２６も取り付けられている。磁界変調ヘッド２５及び光学ピックアップ２６は、光磁気ディスク２３の中心線２３Ａ上を移動するようになっている。
【００３３】
さて、この光磁気ディスクカートリッジ２０においても、上面の開口部２７Ａの長手方向の中心線２７Ｃが、これと平行な光磁気ディスク２３の中心線２３Ａに対してＸ＝（（Ｗ／２−ａ／２）−α）だけサスペンション２８の長手方向で装置の奥行き側にずれている。したがって、これを用いた光磁気ディスク装置２１も、上述の光磁気ディスク装置１１と同様な効果を得ることができる。すなわち、サスペンション２８を従来の光磁気ディスク装置９１（図１３）のサスペンション９８より長くすることができ、これによって、磁界変調ヘッド２５の光磁気ディスク２３に対する追従性を向上させることができると共に、光磁気ディスク９３の面振れの影響を受けにくくなる。更に、消費電力及び発熱量を低減すると共に、線密度を高くすることが可能になる。
【００３４】
【発明の効果】
以上説明したように、本発明はシャッター縦開き型またはシャッター斜め開き型の光磁気ディスクカートリッジの開口部を、水平なサスペンションの長手方向にずらすことにより、サスペンションの長さを長くしたものである。
【００３５】
したがって、本発明によれば、サスペンションの先端に取り付けられた磁界変調ヘッドが上下に移動したとき、ヘッドコアの横ずれ量が従来に比べて少なくなるので、光磁気ディスクの面振れ量が大きい場合でも、ヘッドコアの面積を増やすことなくレーザ光の照射位置に正確に追従させることが可能になる。これによって、消費電力や発熱量の増加を防ぐことができる。更に、駆動電流の立ち上がり速度も低下することがないので、光磁気ディスクの線密度を高くすることが可能になる。また、サスペンションのバネ定数を従来と同一にする場合には、従来に比べて肉厚を厚くすることが可能なので、強度を上げることが可能になるなどの効果がある。
【図面の簡単な説明】
【図１】本発明に係る光磁気ディスクカートリッジ及び光磁気ディスク装置の第１実施例を示す平面図である。
【図２】図１のＡ−Ａ断面図である。
【図３】第２実施例を示す平面図である。
【図４】図３のＢ−Ｂ断面図である。
【図５】従来の第１例を示す平面図である。
【図６】図５のＣ−Ｃ断面図である。
【図７】従来の第２例を示す平面図である。
【図８】図７のＤ−Ｄ断面図である。
【図９】従来の第３例を示す平面図である。
【図１０】図９のＥ−Ｅ断面図である。
【図１１】従来の第４例を示す平面図である。
【図１２】図１１のＦ−Ｆ断面図である。
【図１３】従来の第５例を示す平面図である。
【図１４】図１３のＧ−Ｇ断面図である。
【図１５】光磁気ディスク６３の面振れの影響を説明する図である。
【図１６】駆動電流ｉとその立ち上がり速度ｄｉ／ｄｔを説明する図である。
【符号の説明】
１０，２０  光磁気ディスクカートリッジ
１１，２１  光磁気ディスク装置
１２，２２  カートリッジ本体
１３，２３  光磁気ディスク
１４Ａ，１４Ｂ，２４Ａ，２４Ｂ  シャッター
１５，２５  磁界変調ヘッド
１７Ａ，１７Ｂ，２７Ａ，２７Ｂ  開口部
１８，２８  サスペンション
【図１】
0003601094.tif 000002
【図２】
0003601094.tif 000003
【図３】
0003601094.tif 000004
【図４】
0003601094.tif 000005
【図５】
0003601094.tif 000006
【図６】
0003601094.tif 000007
【図７】
0003601094.tif 000008
【図８】
0003601094.tif 000009
【図９】
0003601094.tif 000010
【図１０】
0003601094.tif 000011
【図１１】
0003601094.tif 000012
【図１２】
0003601094.tif 000013
【図１３】
0003601094.tif 000014
【図１４】
0003601094.tif 000015
【図１５】
0003601094.tif 000016
【図１６】
0003601094.tif 000017